(57)【要約】【課題】  本発明は、温水器等の設置物の設置に係る基礎構築作業の効率を向上させることができる設置物用基台を提供することを課題とする。また、本発明は、温水器等の設置物の設置に係るコストを極力少なくすることができる設置物用基台を提供することを課題とする。【解決手段】  本発明の温水器用基台１０は、底部に三本の脚２１ａ，２１ｂ，２１ｃを有する温水器２０を載置するためのベース部１１と、ベース部１１の上面に沿って設けられた取付溝１２ａ，１２ｂ，１２ｃと、脚２１ａ，２１ｂ，２１ｃをベース部１１の取付溝１２ａ，１２ｂ，１２ｃにそれぞれ固定するアンカーボルト１３ａ，１３ｂ，１３ｃとを備えている。【選択図】図１
2005240479.tif 000002
【特許請求の範囲】
【請求項１】
底部に複数の取付部を有する設置物を載置するベース部と、
前記ベース部の上面に沿って設けられた取付溝と、
前記取付部を前記ベース部の取付溝に固定する固定具と、
を備え、
前記ベース部は、
錘となる充填物を充填する為の内部空間を有していることを特徴とする設置物用基台。
【請求項２】
前記ベース部は、
上下に分割された上蓋と下皿とを有し、
前記上蓋と前記下皿は、設置物が有するアース線又は電気配管を挿通する貫通孔を有していることを特徴とする請求項１に記載の設置物用基台。
【請求項３】
前記ベース部は、樹脂製であることを特徴とする請求項１又は２に記載の設置物用基台。
【請求項４】
前記複数の取付部の隣り合う取付部同士を線で結んで形成される図形の中心と前記ベース部の中心とが一致するように温水器を前記ベース部に固定され、
前記取付溝は、
前記取付部同士を結ぶことにより形成された図形の中心から各取付部に向かう方向と同一方向に延びていることを特徴とする請求項１〜３の何れかに記載の設置物用基台。
【請求項５】
前記複数の取付部の隣り合う取付部同士を線で結ぶことにより形成された図形の中心と前記ベース部の中心とが一致するように温水器を前記ベース部に固定され、
前記取付溝は、
前記取付部同士を線で結ぶことにより形成された図形の各頂点の接線方向と同一方向に延びていることを特徴とする請求項１〜４の何れかに記載の設置物用基台。
【請求項６】
前記複数の取付部の隣り合う取付部同士を線で結んで形成される図形の中心と前記ベース部の中心とが一致するように温水器を前記ベース部に固定され、
前記取付溝は、
前記取付部同士を結ぶ線の延長線方向と同一方向に延びていることを特徴とする請求項１〜５の何れかに記載の設置物用基台。
【請求項７】
前記固定部は、前記取付溝に対して移動可能に設けられていることを特徴とする請求項１〜６の何れかに記載の設置物用基台。
【請求項８】
底部に複数の取付部を有する設置物を載置するベース部と、
前記ベース部の上面に沿って設けられた取付溝と、
前記取付部を前記ベース部の取付溝に固定する固定具と、
を備え、
前記取付溝は、
温水器に設けられ、前記固定具を取り付ける複数の取付部の隣り合う取付部を線で結ぶことにより形成された図形の中心から各取付部に向かう方向と同一方向に延びていることを特徴とする設置物用基台。
【請求項９】
底部に複数の取付部を有する設置物を載置するベース部と、
前記ベース部の上面に沿って設けられた取付溝と、
前記取付部を前記ベース部の取付溝に固定する固定具と、
を備え、
前記取付溝は、
温水器に設けられた、前記固定具を取り付ける複数の取付部の隣り合う取付部同士を線で結ぶことにより形成された図形の各頂点の接線方向と同一方向に延びていることを特徴とする設置物用基台。
【請求項１０】
底部に複数の取付部を有する設置物を載置するベース部と、
前記ベース部の上面に沿って設けられた取付溝と、
前記取付部を前記ベース部の取付溝に固定する固定具と、
を備え、
前記取付溝は、
温水器に設けられ、前記固定具を取り付ける複数の取付部の隣り合う取付部同士を結ぶ線の延長線方向と同一方向に延びていることを特徴とする設置物用基台。
【発明の詳細な説明】
【技術分野】
【０００１】
本発明は、屋外の地上面に設置する設置物の基礎を兼ねる基台の技術に関する。
【背景技術】
【０００２】
屋外に設置される設置物で基礎工事を要するものとして電気温水器（以下、温水器と称す）がある。大型の温水器は、貯水タンクに３００〜４６０リットルの水を貯水することができ、その重量は約６００ｋｇとなる。
【０００３】
このような大型の温水器が地震や地盤沈下等によって転倒することを防止するために、温水器を載置する基礎を構築する。従来より、大型温水器の基礎は、設置箇所の地面に穴を設け、この穴にコンクリートを直接流し込みコンクリート基台を設置するという方法によって行われてきた。
【０００４】
ところが、上述したように現場にてコンクリートを流し込んで作成する基台は、基礎工事と電気工事に１日、コンクリート養生期間に７〜８日、温水器の据え付けと配管工事に１日と、基台の設置作業に相当な期間を要していた。このような方法で基礎を構築すると、基礎の完成と同時に温水器の設置を行うことができないというデメリットがあった。
【０００５】
さらに、コンクリートを直接流し込む基礎工事の場合は、工事区域を占有してしまうことになり、通行ができない不便があるという問題があった。
【０００６】
そこで、近年では、このような不具合を解消するために、予めコンクリートの基台を製作し必要な時期に現場へ搬入する、所謂プレキャストコンクリート工法による基礎構築が行われるようになった。
【０００７】
このように、予め製作したコンクリートの基台を必要な時期に現場に搬入することにより、コンクリートを流し込む時間やコンクリートが硬化する時間と、コンクリートを用いた作業に要する占有スペースを大幅に省略することができるようになった。
【０００８】
また、予めコンクリートの基台を製作しておくことにより、コンクリートを流し込む時間やコンクリートが硬化する時間を省略し、基礎の完成と同時に温水器の設置を行うことができる。
【特許文献１】特許第３０７９４２２号
【発明の開示】
【発明が解決しようとする課題】
【０００９】
ところで、温水器は、建物の裏や壁・塀の近く等の狭隘な場所に設置される場合が多い。そのため、予め製作したコンクリート基台を搬入することが困難な場合も少なくない。
【００１０】
さらに、コンクリートの基台を予め製作するという基礎構築方法は、温水器のメーカー毎に対応する基台を製作しなければならない。そのため、温水器のタイプに合わせた基台をその都度製作しなければならないため、基台の製作自体に手間とコストがかかっていた。
【００１１】
また、温水器の基礎は、建物と敷地境界の狭隘な場所に設置する場合が多いため、０．１５トン程の重量のあるコンクリートの基台を設置場所まで搬入することは手間のかかる作業であった。
【００１２】
そこで、本発明は、温水器等の設置物の設置に係る基礎構築作業の効率を向上させることができる設置物用基台を提供することを課題とする。
【００１３】
また、温水器の設置の都度コンクリートを流し込んで基礎を作る方法では、故障等により温水器のみを交換する場合は基礎のコンクリートも壊さなければならなかった。取り壊した基礎を再度使用することは難しく、新しい温水器を設置する為には再度コンクリートを流し込んで基礎を作り直さなければならず、施工の手間と費用がかかってしまうといった問題があった。
【００１４】
そこで、本発明は、温水器等の設置物の設置に係るコストを極力少なくすることができる設置物用基台を提供することを課題とする。
【課題を解決するための手段】
【００１５】
前記課題を解決するため、本発明は、底部に複数の取付部を有する設置物を載置するベース部と、ベース部の上面に沿って設けられた取付溝と、取付部をベース部の取付溝に固定する固定具とを備え、ベース部は、錘となる充填物を充填する為の内部空間を有していることを特徴とする。
【００１６】
ベース部内に設けられた空間には、砂や土等を好適に充填することができる。この内部空間に砂や土等を充填することができることにより、内部空間に充填物を充填していない状態であれば軽量となり設置物の持ち運びが容易になる。つまり、本発明の設置物用基台によれば、設置物の基礎構築作業を効率よく行うことができる。尚、ベース部の材質としては樹脂を好適に用いることができる。ベース部に樹脂を用いることにより、基台全体の重量の軽量化を図ることができる。
【００１７】
また、本発明の設置物用基台は、ベース部に設けられた内部空間内に錘となる土や砂を充填することができる。これにより、その内部に入れる土や砂の量を任意に調整することができるため、基台に載置する設置物に合わせて基台自体の重さを変えることができる。
【００１８】
加えて、本発明の設置物用基台は、屋外に設置される大型の設置物に特に好適に適用することができる。設置物として、温水器やエアコンやクーラー等の室外機等を例示できる。
【００１９】
また、本発明に係るベース部は、上下に分割された上蓋と下皿とを有し、上蓋と下皿は、温水器のアース線又は電気配管を挿通する貫通孔を有していることを特徴とする。
【００２０】
この貫通孔は、ベース部の周縁に沿って設けられても良いし、ベース部の中央寄りの位置に設けられても良い。設置物が温水器や室外機等の駆動源に電気を用いる機器である場合、電気配線やアース線を必要とする。貫通孔が設けられていることにより、これらの電気配線やアース線をベース部の外側に回したり、延長コードを用いて基台との接触を避ける等せずとも温水器や室外機等を設置することができる。
【００２１】
さらに、本発明に係る設置物は、固定具を取り付ける複数の取付部を有し、隣り合う取付部同士を線で結んで形成される図形の中心とベース部の中心とが一致するように設置物がベース部に固定され、取付溝は、取付部同士を結んで形成された図形の中心から各取付部に向かう方向と同一方向に向かって形成されていることを特徴とする。
【００２２】
設置物を安定してベース部上に載置するためには、ベース部の中心と設置物の中心とを合わせて載置すると好ましい。設置物には、ベース部に設置物を固定するボルト等を取り
付ける取付部が設けられている。この取付部は、固定部がボルトの場合はナットを好適に用いることができる。また、取付部は、設置物を支持する脚のようなものでも良い。
【００２３】
また、設置物の脚は、設置物の種類や大きさによって脚の位置が異なる。例えば、大きくて重い設置物の場合は脚同士の間隔が広く、小さくて軽い設置物の場合は脚同士の間隔が狭いという場合がある。
【００２４】
このような場合、本発明に係る取付溝はベース部の中心から外側に向かって形成されているので、脚同士を線で結んで形成された図形が相似形であれば対応することができる。例えば、脚同士を線で結んで形成された図形が互いに相似形である場合、大きくて重い設置物の脚同士を線で結んで形成された図形は、小さくて軽い設置物の脚同士を線で結んで形成された図形より大きくなる。
【００２５】
ここで、本発明に係る取付溝は、ベース部の中心からベース部の周縁に向かって形成されているので、上記したような脚の配置が相似形を成している設置物同士であれば何れの固定にも対応することができる。そのため、勿論、固定具は、取付溝内を自在に移動することができ、設置物の脚の位置に対応する位置で固定することができる。
【００２６】
その他の取付溝の形成態様として、隣り合う取付部同士を線で結ぶことにより形成された図形の中心とベース部の中心とが一致するように設置物をベース部に固定する場合において、取付溝は、取付部同士を線で結ぶことにより形成された図形の各頂点の接線方向と同一方向に向かって形成されている例を挙げられる。
【００２７】
この場合の取付溝は、取付部（脚）の配置が相似形を成していない設置物に対応することができる。取付溝が取付部を頂点とした場合の接線方向と同じ方向に向かって形成されていることにより、例えば、三本の脚の配置が正三角形を成している設置物の固定と、三本の脚の配置が二等辺三角形を成している設置物の固定とを同じ基台（ベース部）で担うことができる。
【００２８】
さらにその他の取付溝の形成態様として隣り合う取付部同士を線で結んで形成される図形の中心とベース部の中心とが一致するように設置物がベース部に固定された場合、取付溝は、取付部同士を結ぶ線の延長線方向と同一方向に向かって形成されている態様を例示できる。
【００２９】
このような態様の取付溝も、脚の配置が相似形を成していない設置物に対応することができる。
【００３０】
上記した本発明に係る取付溝の形成態様は、設置物の脚（取付部）の多様な配置に対応することができる。つまり、本発明の設置物用基台は、多種類の設置物（多種類のメーカーの設置物）の基礎となる得ることができ、汎用性が高い基台となり得る。
【００３１】
また、本発明の設置物用基台は、底部に複数の取付部を有する設置物を載置するベース部と、ベース部の上面に沿って設けられた取付溝と、取付部を前記ベース部の取付溝に固定する固定具とを備え、この取付溝は、設置物に設けられた、固定具を取り付ける複数の取付部の隣り合う取付部を線で結ぶことにより形成された図形の中心から各取付部に向かう方向と同一方向に延びている構成とすることもできる。
【００３２】
さらに、本発明の設置物用基台は、底部に複数の取付部を有する設置物を載置するベース部と、ベース部の上面に沿って設けられた取付溝と、取付部を前記ベース部の取付溝に固定する固定具とを備え、取付溝は、設置物に設けられた、固定具を取り付ける複数の取
付部の隣り合う取付部同士を線で結ぶことにより形成された図形の各頂点の接線方向に延びている構成とすることもできる。
【００３３】
また、本発明の設置物用基台は、底部に複数の取付部を有する設置物を載置するベース部と、ベース部の上面に沿って設けられた取付溝と、取付部を前記ベース部の取付溝に固定する固定具とを備え、取付溝は、設置物に設けられた、固定具を取り付ける複数の取付部の隣り合う取付部同士を結ぶ線の延長線方向と同一方向に延びている構成とすることもできる。
【発明の効果】
【００３４】
本発明によれば、温水器の設置作業の効率を向上させることができる温水器設置用基台を提供することが可能となる。
【００３５】
また、本発明は、温水器の設置に係るコストを極力少なくすることができる温水器設置用基台を提供することが可能となる。
【発明を実施するための最良の形態】
【００３６】
以下、図面を参照しながら本実施形態の設置物用基台の説明をする。尚、本実施形態では設置物を温水器とし、設置物用基台を温水器用基台として説明する。
【００３７】
図１に示すように、本実施形態に係る温水器（設置物）２０は、その底部に三本の脚（取付部）２１ａ，２１ｂ，２１ｃを有している。それに伴い、本実施形態における温水器用基台１０には脚の本数に対応する三つの取付溝１２ａ，１２ｂ，１２ｃが設けられている。
【００３８】
また、本実施形態の温水器用基台１０は、底部に三本の脚２１ａ，２１ｂ，２１ｃを有する温水器２０を載置するためのベース部１１と、ベース部１１の上面に沿って設けられた取付溝１２ａ，１２ｂ，１２ｃと、脚２１ａ，２１ｂ，２１ｃをベース部１１の取付溝１２ａ，１２ｂ，１２ｃにそれぞれ固定するアンカーボルト（固定具）１３ａ，１３ｂ，１３ｃとを備えている。尚、本実施形態ではアンカーボルトの受け側となるナットは脚２１ａ，２１ｂ，２１ｃ側に取り付けられるとする。
【００３９】
ベース部１１は上下に分割された矩形状の上蓋１１ａと下皿１１ｂとから構成されている。下皿１１ｂに上蓋１１ａを嵌合させることによりベース部１１となる。
【００４０】
また、本実施形態に係るベース部１１は、樹脂製とする。ベース部１１に樹脂を用いることにより基台全体の重さが軽量化される。温水器は、壁と建物の間というような狭い場所に設置されることが多いため、基台が軽量化されることにより温水器の設置作業の効率と安全性が向上する。
【００４１】
また、上蓋１１ａと下皿１１ｂは、温水器２０の稼働に必要なアース線や電気配管を挿通する貫通孔１４ａ，１４ｂ，１４ｃを有している（図２参照）。これらの貫通孔１４ａ，１４ｂ，１４ｃは、ベース部１１の適宜の位置に設けられる。尚、本実施形態の貫通孔１４ａ，１４ｂ，１４ｃは、四角形に形成されたベース部１１の向かい合う二辺に沿って設けられると共に取付溝１２ａ，１２ｂ，１２ｃと交わらないように設けられている。
【００４２】
図２に示すように、本実施形態の取付溝１２ａ，１２ｂ，１２ｃは、矩形状のベース部１１の隣り合う二角から中心に向かって形成された取付溝１２ｂ，１２ｃと、その二角が共に対向する辺の中点付近からベース部１１の中央に向かう取付溝１２ａとからなる。つまり、これらの取付溝１２ａ，１２ｂ，１２ｃは、温水器２０の脚２１ａ，２１ｂ，２１
ｃ同士を結んで形成された図形の中心から各脚２１ａ，２１ｂ，２１ｃに向かう方向と同じ向きに延びて形成されている。
【００４３】
また、取付溝１２ａ，１２ｂ，１２ｃの中心側のそれぞれの端部１５ａ，１５ｂ，１５ｃは、他端まで延びた溝の幅よりも広く形成されている。これにより端部１５ａ，１５ｂ，１５ｃからアンカーボルト１３ａ，１３ｂ，１３ｃを取付溝１２ａ，１２ｂ，１２ｃ内に入れ易くなる。
【００４４】
さらに、図３に示すように、取付溝１２ａ（１２ｂ，１２ｃ）の断面は、略凸字形に形成されている。このような断面の溝を形成するために上蓋１１ａは上部５０と下部６０との二層構造によって形成されている。
【００４５】
図４に示すように、上部５０はアンカーボルト１３ａ（１３ｂ，１３ｃ）の軸部４０の幅よりやや広いスリット（図２参照）を有し、下部６０はアンカーボルト１３ａ（１３ｂ，１３ｃ）の頭部３０の幅よりやや広い溝を有している（図５参照）。上部５０と下部６０とは接着されており分離することはないものとする。これによって、アンカーボルト１３ａ（１３ｂ，１３ｃ）の頭部３０を、図２に示す端部１５ａ（１５ｂ，１５ｃ）から下部６０の溝内に入れると、頭部３０は上部５０の下端部１７によって上方向への移動を規制される。
【００４６】
取付溝１２ａ（１２ｂ，１２ｃ）の内部形状が上述のような形状であることにより、アンカーボルト１３ａ（１３ｂ，１３ｃ）の抜けを防ぐことができる。
【００４７】
上述したような向きに取付溝１２ａ，１２ｂ，１２ｃが設けられていること、及びアンカーボルト１３ａ，１３ｂ，１３ｃが取付溝１２ａ，１２ｂ，１２ｃ内を移動可能であることにより、脚２１ａ，２１ｂ，２１ｃの配置が相似形を成している設置物同士であれば、アンカーボルト１３ａ，１３ｂ，１３ｃ（図１参照）を取付溝１２ａ，１２ｂ，１２ｃにガイドさせて脚２１ａ，２１ｂ，２１ｃの位置までアンカーボルト１３ａ，１３ｂ，１３ｃを移動させることができる。このような構成によって、温水器の脚の多様な配置にアンカーボルト１３ａ，１３ｂ，１３ｃの位置を対応させて温水器を固定することができる。つまり、本実施形態の温水器用基台１０は、脚の配置が相似形であれば同一の基台を用いることができるため、多種の温水器（又は多種メーカー）に対応が可能となる。
【００４８】
また、図３に示すように、ベース部１１には内部空間Ｓが設けられている。この内部空間Ｓの内部には錘となる土や砂等の充填物が充填される。そのため、内部空間に対応する上蓋１１ａの上面には、図２に示すように充填物を内部空間に入れる為の入口部７０ａ，７０ｂ，７０ｃがある。これらの入口部７０ａ，７０ｂ，７０ｃには着脱自在の蓋（不図示）が設けられているとする。
【００４９】
このように、内部空間Ｓ内に錘となる土や砂を充填する構成により、温水器用基台１０自体の重さを任意に調節することができる。例えば、基台に充分な重量を要する場合は、内部空間Ｓに土や砂を満杯となるように充填し、基台に充分重量を要しない場合は、内部空間Ｓに入れる土や砂を少なめに入れればよい。
以上が本実施形態における温水器用基台１０の構成である。
【００５０】
次に、本実施形態における温水器用基台１０の施工手順について図６に示すフローチャートに基づき説明する。
【００５１】
まず、温水器２０の設置箇所の地面を、平面方向（縦横各）１０００ｍｍ，深さ１５０ｍｍ程度の穴を掘る（Ｓ０１）。尚、平面方向の１０００ｍｍは、温水器用基台１０の平
面方向の大きさより大きい値である。
【００５２】
次に、その穴内に砕石を敷き、砕石の厚さが１００ｍｍ程度になるように砕石を圧密し平坦にならす（Ｓ０２）。
【００５３】
そして、平坦にならした砕石の上に温水器用基台１０の下皿１１ｂを水平にセットする（Ｓ０３）。
【００５４】
下皿１１ｂのセットが完了した後、内部空間Ｓの下側を形成する下皿１１ｂの対応箇所に砂（土）を充填する（Ｓ０４）。ここで、砂の上面を水平にならすために、下皿１１ｂの側面を振動させて砂の密度を高めると良い。
【００５５】
下皿１１ｂに充填した砂をならした後、下皿１１ｂの周囲を土で埋める（Ｓ０５）。このとき、下皿１１ｂが１００ｍｍ程度地盤面から上方に向かってはみ出すように埋める。
【００５６】
次に、周囲を土で埋められた下皿１１ｂに上蓋１１ａを被せる（Ｓ０６）。上蓋１１ａを下皿１１ｂに被せた後、ボルトにてこれらのパーツを結合する（Ｓ０７）。結合方法には、ボルト締め又は上蓋１１ａと下皿１１ｂとの嵌め込みフック式等を好適に用いることができる。尚、本実施形態に係る下皿１１ｂはナット埋め込み式である。
【００５７】
上蓋１１ａと下皿１１ｂとの結合が完了すると、次に、ベース部１１上に温水器を載置する。そして、取付溝１２ａ，１２ｂ，１２ｃ内において、予め上蓋１１ａにセットしたアンカーボルト１３ａ，１３ｂ，１３ｃ（図４参照）を温水器２０の脚２１ａ，２１ｂ，２１ｃの位置までスライドさせてベース部１１に緊結する（Ｓ０８）。尚、ここでもし温水器用基台１０の固定力を高めるため温水器用基台１０の重量を大きくしたい（即ち、重くしたい）場合は、入口部７０ａ，７０ｂ，７０ｃから砂を追加する。
【００５８】
温水器２０をベース部１１上に載置すると、地面から出ている給排水管（不図示）を貫通孔１４ａ，１４ｂ，１４ｃに通して温水器２０に繋ぐ（Ｓ０９）。それと同時に温水器２０の上部にある温水配管と電気配線とを繋ぐ（共に不図示）。そのため、電気配線も必要に応じて貫通孔１４ａ，１４ｂ，１４ｃに通す。尚、貫通孔１４ａ，１４ｂ，１４ｃは、給排水管と電気配線を通したとしても大抵の場合は貫通孔１４ａ，１４ｂ，１４ｃ内に隙間が生じてしまうため、その隙間には砕石を充填する。
【００５９】
そして、電気が通電したことを確認し、温水器２０に注水する（Ｓ１０）。最後に、所定時間経過後に温水器２０内の水が温水になっていることを確認する（Ｓ１１）ことにより、温水器２０の設置工事が完了する。
【００６０】
このように、本実施形態の温水器用基台１０によれば、ベース部１１を地面に設置してからその内部に砂を充填する手順を踏むため、充填前の温水器用基台１０は軽量であり、設置箇所までの持ち運びが容易になる。これによって、作業の効率と安全性が向上する。
【００６１】
また、本実施形態の温水器用基台１０によれば、ベース部１１を地面に設置した後に、温水器２０の脚の配置態様に合わせて、アンカーボルト１３ａ，１３ｂ，１３ｃを取付溝１２ａ，１２ｂ，１２ｃ内でスライドさせるため、温水器それぞれの基台を製作する必要がなくなる。これによって、温水器の設置に係るコストを低減することが可能となる。
【００６２】
また、取付溝は、上述した本実施形態の取付溝１２ａ，１２ｂ，１２ｃの配置態様に限らない。以下に取付溝のその他の配置態様について説明する。尚、以下の説明に用いる図面中では、電気配線等を通す貫通孔と、錘となる砂をベース部の内部空間に入れるための
入口部の表示は省略する。
（その他の実施態様１）
図７及び図８に本実施態様のベース部１１の平面図を示す。本実施態様の取付溝１２ｄ〜１２ｆ，取付溝１２ｇ〜１２ｊは、温水器の脚２１ｄ〜２１ｆ，脚２１ｇ〜２１ｊ同士を線で結ぶことにより形成された図形の各頂点の接線方向に向かって形成されている。
【００６３】
図７は温水器の脚が三本の場合に用いるベース部１１の平面図である。温水器の脚が三本の場合、これらの隣り合う脚２１ｄ，２１ｅ，２１ｆを線で結ぶと三角形を描く。この場合の取付溝１２ｄ，１２ｅ，１２ｆは、その三角形の頂点（脚２１ｄ，２１ｅ，２１ｆ）の接線方向に延びているので、脚２１ｄ，２１ｅ，２１ｆを結んでできた三角形とは逆向きの三角形を成すように配置されている。
【００６４】
また、図８は温水器の脚が四本の場合に用いるベース部１１の平面図である。温水器の脚が四本の場合、これら隣り合う脚２１ｇ，２１ｈ，２１ｉ、２１ｊを線で結ぶとベース部１１の四辺それぞれに対して四辺が平行な四角形を描く。この場合の取付溝１２ｇ，１２ｈ，１２ｉ，１２ｊは、その四角形の頂点（脚２１ｇ，２１ｈ，２１ｉ、２１ｊ）の接線方向に延びているので、ベース部１１の上面に略菱形を成すように配置されている。
【００６５】
このような取付溝１２ｄ，１２ｅ，１２ｆ，取付溝１２ｇ，１２ｈ，１２ｉ，１２ｊの配置態様により、アンカーボルト（不図示）を取付溝１２ｄ〜１２ｆ，取付溝１２ｇ〜１２ｊに沿って移動させると、例えば、三本の脚の配置が正三角形を成している設置物の固定と、三本の脚の配置が二等辺三角形を成している設置物の固定とを同じベース部で担うことができる。
【００６６】
また、図７に示す取付溝１２ｄ，１２ｅ，１２ｆの配置であれば、温水器の脚が四本の場合でも対応することができる。例えば、隣り合う取付溝１２ｄと取付溝１２ｆとにそれぞれ脚を一本ずつ固定して、その他の取付溝１２ｅに二本の脚を固定するようにすれば、四本脚の温水器にも適用することができる。
【００６７】
つまり、本態様の取付溝１２ｄ〜１２ｆ，取付溝１２ｇ〜１２ｊの配置態様は、上述した本実施形態のように温水器の脚の配置が相似形をなすものに対してだけでなく、脚の配置が相似形を成していないもの（温水器）にも対応することができる。そのため、本態様の取付溝１２ｄ〜１２ｆ，取付溝１２ｇ〜１２ｊを有する温水器用基台は、多種類の温水器の基台として用いることができ汎用性が向上する。
【００６８】
（その他の実施態様２）
図９及び図１０にその他の実施態様２のベース部１１の平面図を示す。本態様の取付溝１２ｋ〜１２ｍは、温水器（不図示）の脚２１ｋ，２１ｌ，２１ｍを結ぶ線の延長線方向に向かって形成されているものである。
【００６９】
図９は温水器の脚が三本の場合に用いるベース部１１の平面図である。本態様に係る脚２１ｋ，２１ｌ，２１ｍを線で結ぶと三角形を描きます。この場合の取付溝１２ｋ，１２ｌ，１２ｍは、隣り合う取付溝同士が互いに角度を有し、一方の取付溝の延長線上に他方の取付溝がくるように配置される。
【００７０】
また、図１０は温水器の脚が四本の場合に用いるベース部１１の平面図である。本態様に係る脚２１ｎ，２１ｏ，２１ｐ，２１ｑを線で結ぶと四角形を描く。この場合の取付溝１２ｎ，１２ｏ，１２ｐ，１２ｑは、ベース部１１の上面に隣り合う取付溝同士が対向する方向で直角を成すように配置される。
【００７１】
つまり、本態様の取付溝１２ｋ〜１２ｍ，取付溝１２ｎ〜１２ｑの配置態様も、上述したその他の実施態様１のように温水器の脚の配置が相似形をなすものに対してのみではなく、脚の配置が相似形を成していないもの（温水器）にも対応することができる。そのため、本態様の温水器用基台は、多種類の温水器（多種類のメーカーの温水器）の基礎となり得ることができ、汎用性を向上させることができる。
【００７２】
（その他の実施態様３）
図１１に示すように、本態様の取付溝は、取付溝１２ｒと取付溝１２ｓとがベース部１１の一辺に沿って平行に設けられ、取付溝１２ｒがそれらの一方の取付溝（本態様では取付溝１２ｓ）の中心から他方の取付溝（本態様では取付溝１２ｒ）と交わらない方向に直交している。
【００７３】
このような本態様の取付溝１２ｒ〜１２ｔの配置態様も、上述したその他の実施態様１又は２のように温水器の脚の配置が相似形をなすものに対してだけではなく、脚の配置が相似形を成していないもの（温水器）にも対応することができる。そのため、本態様の温水器用基台は、多種類の温水器（多種類のメーカーの温水器）の基礎となり得ることができ、汎用性を向上させることができる。
【００７４】
また、本態様の取付溝１２ｒ，１２ｓ，１２ｔの配置であれば、温水器の脚が四本以上の場合でも対応することができる。例えば、取付溝１２ｒと取付溝１２ｓとにそれぞれ脚（不図示）を二本ずつ固定して、取付溝１２ｓに直交する取付溝１２ｔに一本の脚（不図示）を固定するようにすれば、五本脚の温水器の設置にも適用することができる。
【００７５】
（その他の実施態様４）
図１２に示すように、本態様の取付溝１２ｕは、ベース部１１の一辺に沿って設けられている。さらに、本態様のベース部１１は、温水器の脚（何れも不図示）を直接固定する固定点Ｐを有している。
【００７６】
本態様のベース部１１に三脚の温水器を取り付ける場合は、取付溝１２ｕに二本の脚を固定し、もう一つの脚を固定点Ｐに固定する。
【００７７】
このような本態様の取付溝１２ｕの配置態様は、上述したその他の実施態様１〜３のように温水器の脚の配置が相似形をなすものに対してではなく、脚の配置が相似形を成していないもの（温水器）に対応することができる。そのため、本態様の温水器用基台は、多種類の温水器（多種類のメーカーの温水器）の基礎となり得ることができ、汎用性を向上させることができる。
【００７８】
（その他の実施態様５）
図１３に示すように、本態様の取付溝１２ｖ，１２ｗは、ベース部１１の一辺に対して共に平行に設けられている。さらに、本態様のベース部１１は、温水器の脚（不図示）を直接固定する固定点Ｐを有している。
【００７９】
本態様のベース部１１であれば四脚以上の温水器を取り付けることができる。例えば、取付溝１２ｖと取付溝１２ｗとにそれぞれ二本の脚を固定し、もう一つの脚を固定点Ｐに固定する。これによって、五本脚の温水器を固定することができる。
【００８０】
このような本態様の取付溝１２ｖ，１２ｗの配置態様も、上述したその他の実施態様４と同様に温水器の脚の配置が相似形をなすものに対してではなく、脚の配置が相似形を成していないもの（温水器）に対応することができる。そのため、本態様の温水器用基台は、多種類の温水器（多種類のメーカーの温水器）の基礎となり得ることができ、汎用性を
向上させることができる。
【００８１】
（その他の実施態様６）
図１４に示すように、本態様の取付溝１２ｘ，１２ｙは、ベース部１１の中心からベース部１１の隣り合う二角に向かってそれぞれ延びている。さらに、本態様のベース部１１は、温水器の脚（不図示）を直接固定する固定点Ｐを有している。
【００８２】
本態様のベース部１１に三本脚の温水器を取り付ける場合は、取付溝１２ｘと取付溝１２ｙとに脚を一本ずつ固定し、もう一本の脚を固定点Ｐに固定する。このとき、一本の脚は完全に固定されてしまうが、他の二本の脚は、取付溝１２ｘ，１２ｙに沿った任意の位置で固定することができる。
【００８３】
このような本態様の取付溝１２ｘ，１２ｙの配置態様であれば、本実施形態のベース部１１（図１参照）と同じように温水器の脚の配置が相似形をなすものに対応することができる。そのため、本態様の温水器用基台は、多種類の温水器（多種類のメーカーの温水器）の基礎となり得ることができ、汎用性を向上させることができる。
【００８４】
上述したその他の実施態様は、本実施形態のその他の態様の一例であり、上述した内容に限られるものではない。例えば、上述した実施態様４〜６では、温水器の脚をベース部１１に直接固定する固定点を一カ所しか設けていないが、二カ所以上の固定点を設ける態様としても良い。
【図面の簡単な説明】
【００８５】
【図１】本実施形態に係る温水器を温水器用基台に設置した状態の斜視図である。
【図２】本実施形態に係るベース部の平面図である。
【図３】図２のＡ−Ａ’断面図である。
【図４】図３中Ｂの拡大図である。
【図５】図３の上蓋をＣ−Ｃ’で切断したときの平面図である。
【図６】本実施形態の温水器の基礎施工の手順を示したフローチャートである。
【図７】その他の実施態様１に係るベース部の平面図である。
【図８】その他の実施態様１に係るベース部の平面図である。
【図９】その他の実施態様２に係るベース部の平面図である。
【図１０】その他の実施態様２に係るベース部の平面図である。
【図１１】その他の実施態様３に係るベース部の平面図である。
【図１２】その他の実施態様４に係るベース部の平面図である。
【図１３】その他の実施態様５に係るベース部の平面図である。
【図１４】その他の実施態様６に係るベース部の平面図である。
【符号の説明】
【００８６】
１０  温水器用基台
１１  ベース部
１１ａ  上蓋
１１ｂ  下皿
１２ａ〜１２ｙ  取付溝
１３ａ，１３ｂ，１３ｃ  アンカーボルト
１４ａ，１４ｂ，１４ｃ  貫通孔
１５ａ，１５ｂ，１５ｃ  端部
１７  下端部
２０  温水器
２１ａ〜２１ｑ  脚
３０  頭部
４０  軸部
５０  上部
６０  下部
７０ａ，７０ｂ，７０ｃ  入口部
Ｐ  固定点
Ｓ 内部空間
【図１】
2005240479.tif 000003
【図２】
2005240479.tif 000004
【図３】
2005240479.tif 000005
【図４】
2005240479.tif 000006
【図５】
2005240479.tif 000007
【図６】
2005240479.tif 000008
【図７】
2005240479.tif 000009
【図８】
2005240479.tif 000010
【図９】
2005240479.tif 000011
【図１０】
2005240479.tif 000012
【図１１】
2005240479.tif 000013
【図１２】
2005240479.tif 000014
【図１３】
2005240479.tif 000015
【図１４】
2005240479.tif 000016